(57)【要約】ブックレット（３）の四角折り及び化粧裁ちの両方を同時に実行するための後処理デバイス（１）であって、デバイス（１）は、そのうちの少なくとも１つが後処理デバイス（１）に移動可能に取り付けられる四角折りアセンブリ（８）及び裁断アセンブリ（５）と、四角折りアセンブリ（８）及び裁断アセンブリ（５）の動作中にブックレット（３）を静止状態に保つための挟持アセンブリ（１７）とを備える、後処理デバイス（１）。また、そのようなデバイス（１）を動作させる方法。【選択図】図１
2022502287.tif 000002
【特許請求の範囲】
【請求項１】
後処理デバイス（１）であって、
後処理されるべきブックレット（３）を受け入れるための入口（２）と、
後処理後に前記ブックレット（３）を排出するための出口（４）と、
ナイフ（６）と支持体（７）とを備える裁断アセンブリ（５）と、
前記ブックレット（３）の背に沿って圧力を印加するための加圧手段（９）を備える四角折りアセンブリ（８）と、
前記裁断アセンブリ（５）及び前記四角折りアセンブリ（８）を介して前記入口（２）から前記出口（４）に搬送路（１１）に沿って前記ブックレット（３）を移動させるように構成された移送システムと、
挟持アセンブリ（１７）が前記ブックレット（３）の前記背の部分を挟持して、前記四角折りアセンブリ（８）及び前記裁断アセンブリ（５）による処理のための処理位置（Ｐ）に前記ブックレット（３）を静止状態に保つ挟持位置と、前記ブックレット（３）が移動することを前記挟持アセンブリ（１７）が可能にする開放位置との間で動作可能となるように構成された前記挟持アセンブリ（１７）と、
を備え、前記裁断アセンブリ（５）及び／又は前記四角折りアセンブリ（８）は、前記四角折りアセンブリ（８）と前記裁断アセンブリ（５）との間の距離が前記裁断アセンブリ（５）及び前記四角折りアセンブリ（８）のうちの少なくとも１つの移動によって可変となるように、前記後処理デバイス（１）に移動可能に取り付けられることを特徴とする、後処理デバイス（１）。
【請求項２】
前記移送システムは、前記入口（２）と前記裁断アセンブリ（５）との間に設けられた第１の送給アセンブリ（１２）を備え、
前記第１の送給アセンブリ（１２）は、前記第１の送給アセンブリ（１２）に対する前記ブックレット（３）の送給を制御するように構成された第１の送給機構を備え、
前記第１の送給アセンブリ（１２）は、前記後処理デバイス（１）に移動可能に取り付けられ、前記入口（２）と前記裁断アセンブリ（５）との間の前記搬送路（１１）に沿った前後の移動のために案内され、
前記移送システムは、前記裁断アセンブリ（５）と前記四角折りアセンブリ（８）との間に設けられた第２の送給アセンブリ（１８）を備え、
前記第２の送給アセンブリ（１８）は、前記第２の送給アセンブリ（１８）に対する前記ブックレット（３）の送給を制御するように構成された第２の送給機構を備える、
請求項１に記載の後処理デバイス（１）。
【請求項３】
前記第２の送給アセンブリ（１８）は、前記後処理デバイス（１）に移動可能に取り付けられ、前記裁断アセンブリ（５）と前記四角折りアセンブリ（８）との間の前記搬送路（１１）に沿った前後の移動のために案内される、
請求項２に記載の後処理デバイス（１）。
【請求項４】
前記挟持アセンブリ（１７）は、前記四角折りアセンブリ（８）に隣接して設けられる、
請求項１〜３のうちのいずれか一項に記載の後処理デバイス（１）。
【請求項５】
前記第１の送給アセンブリ（１２）は、直線案内部上に据え付けられ、前記第１の送給機構は、前記第１の送給機構の前方送給方向が前記直線案内部の方向と平行になるように構成される、
請求項２〜４のうちのいずれか一項に記載の後処理デバイス（１）。
【請求項６】
前記後処理デバイス（１）は、当接部材（１４）が前記四角折りアセンブリ（８）に隣接する位置において前記搬送路（１１）を塞ぎ、それによって前記処理位置（Ｐ）を規定する停止位置（Ｐ１）と、前記四角折りアセンブリ（８）が前記ブックレット（３）上で自由に動作するように、前記当接部材（１４）が前記四角折りアセンブリ（８）の邪魔にならないように移動される静止位置（Ｐ２）との間で移動可能な前記当接部材（１４）を備えるストッパ手段（１３）を更に備える、
請求項１〜５のうちのいずれか一項に記載の後処理デバイス（１）。
【請求項７】
前記当接部材（１４）は、前記裁断アセンブリ（５）の前記ナイフ（６）と平行である、
請求項６に記載の後処理デバイス（１）。
【請求項８】
請求項２〜７のうちのいずれか一項に記載の前記後処理デバイス（１）を動作させる方法であって、
ｂ）前記四角折りアセンブリ（８）及び／又は前記裁断アセンブリ（５）を所定の距離（Ｄ１）だけ離して移動させることと、
ｃ）前記入口（２）からブックレット（３）を受け入れ、把持し、前記裁断アセンブリ（５）に移送するように前記第１の送給アセンブリ（１２）を動作させることと、
ｄ）前記ブックレット（３）が前記第２の送給アセンブリ（１８）に到達するまで、前記第１の送給アセンブリ（１２）に対して前方に前記ブックレット（３）を移動させるように前記第１の送給機構を動作させることと、
ｅ）前記裁断アセンブリ（５）からの前記ブックレット（３）を把持し、前記処理位置（Ｐ）に移送するように前記第２の送給アセンブリ（１８）を動作させることと、
ｆ）前記処理位置（Ｐ）において前記ブックレット（３）を挟持するように前記挟持アセンブリ（１７）を動作させることと、
ｈ）前記処理位置（Ｐ）において挟持されている間に、前記ブックレット（３）を四角折りし、裁断するように、前記四角折りアセンブリ（８）及び前記裁断アセンブリ（５）をそれぞれ動作させることと、
ｉ）その開放位置に持ってくるように前記挟持アセンブリ（１７）を動作させることと、
ｊ）前記出口（４）に向かって前記ブックレット（３）を移送するように前記第２の送給アセンブリ（１８）を動作させることと、
を行うステップを備える、方法。
【請求項９】
前記方法は、ステップｄ）の前の任意の時点で実行されるべきステップａ）を備え、前記ステップａ）は、前記当接部材（１４）を前記停止位置（Ｐ１）に持ってくるように前記ストッパ手段（１３）を動作させ、それによって、前記処理位置（Ｐ）を規定する物理的停止部を提供することを備え、
前記方法は、ステップｆ）とｈ）との間に、
前記当接部材（１４）をその静止位置（Ｐ２）に移動させるように前記ストッパ手段（１３）を動作させるステップｇ）を更に備える、
請求項８に記載の方法。
【発明の詳細な説明】
【技術分野】
【０００１】
本発明は、印刷されたブックレットのための後処理デバイスに関する。具体的には、デバイスは、印刷されたブックレットの四角折り（square folding）及び化粧裁ち（trimming）の両方を実行するように構成されたそのようなデバイスに関する。
【背景技術】
【０００２】
プリンタなどの画像形成デバイスは、一般に、紙を折り畳んでブックレットに積載し、ブックレットのシートをステープルで綴じ、ブックレットの縁を化粧裁ちし、ブックレットの綴じられた縁を四角折りするなどの後処理動作を実行するように構成された後処理デバイスと組み合わされている。典型的には、そのような後処理機械は、右側などの投入側から紙を受け入れ、左側などの排出側で処理された紙を排出するように適合される。いくつかの機械が、従って、互いに直列に接続され、各機械は、ある機械は折り畳み用、ある機械は四角折り用、ある機械は化粧裁ち用といったように、それ自体の機能を有する。
【０００３】
四角折り及び化粧裁ちの両方を実行する機械の例は、ＵＳ７８９１９２８Ｂ２に開示されている。四角折り及び化粧裁ちの両方を行う機械の別の例は、ＵＳ９１７４８１４Ｂ２に開示されている。
【０００４】
本発明の目的は、ブックレットを四角折りし、化粧裁ちすることが可能な小型ながら高速な機械を提供することである。
【発明の概要】
【０００５】
これら及び他の目的は、それぞれ本発明の第１及び第２の態様によるデバイス及び方法によって達成される。
【０００６】
本発明の第１の態様による後処理デバイスは、従属請求項２〜７に記載された実施形態と共に、請求項１に規定されている。デバイスは、
後処理されるべきブックレットを受け入れるための入口と、
後処理後にブックレットを排出するための出口と、
ナイフと支持体とを備える裁断アセンブリと、
ブックレットの背に沿って圧力を印加するための加圧手段を備える四角折りアセンブリと、
裁断アセンブリ及び四角折りアセンブリを介して入口から出口に搬送路に沿ってブックレットを移動させるように構成された移送システムと、
挟持アセンブリがブックレットの背の部分を挟持して、四角折りアセンブリ及び裁断アセンブリによる処理のための処理位置にブックレットを静止状態に保つ挟持位置と、ブックレットが移動することを挟持アセンブリが可能にする開放位置との間で動作可能となるように構成された挟持アセンブリと備える。裁断アセンブリ及び／又は四角折りアセンブリは、四角折りアセンブリと裁断アセンブリとの間の距離が裁断アセンブリ及び四角折りアセンブリのうちの少なくとも１つの移動によって可変となるように、後処理デバイスに移動可能に取り付けられる。四角折りアセンブリと裁断アセンブリとの間の距離が可変となるように、裁断アセンブリ及び／又は四角折りアセンブリを後処理デバイスに移動可能に取り付けることによって、機械は、両方の動作のためにブックレットを静止状態に保たれたままにしながら、様々なサイズのブックレットも四角折り及び化粧裁ちの両方を行うことが可能である。これは、依然として広範囲のサイズのブックレットの処理を可能にしながら、より速い後処理を可能にし、より小さい設置面積（footprint）上で両方の機能を可能にする。
【０００７】
処理すべき新しいブックレットサイズを選択すると、裁断アセンブリと四角折りアセンブリとの間の距離は、処理位置内のブックレットがブックレットのシートの外側の部分を切り取るために裁断アセンブリを少なくとも部分的に通って延在するように距離が適合されるように調整される。裁断アセンブリと四角折りアセンブリとの間のこの距離は次いで、複数のブックレットの後処理の間、ブックレットサイズが変更されるまで保たれる。
【０００８】
移送システムは、入口と裁断アセンブリとの間に設けられた第１の送給アセンブリを備え得、第１の送給アセンブリは、第１の送給アセンブリに対するブックレットの送給を制御するように構成された第１の送給機構を備え、第１の送給アセンブリは、後処理デバイスに移動可能に取り付けられ、入口と裁断アセンブリとの間の搬送路に沿った前後の移動のために案内され、移送システムは、裁断アセンブリと四角折りアセンブリとの間に設けられた第２の送給アセンブリを備え、第２の送給アセンブリは、第２の送給アセンブリに対するブックレットの送給を制御するように構成された第２の送給機構を備える。
【０００９】
第１の送給アセンブリは、後処理デバイスの入口を通してブックレットの前部を受け入れ、ブックレットを把持する。そこから、ブックレットは、第１の送給アセンブリによって裁断アセンブリに移動される。裁断アセンブリの近くに来ると、第１の送給アセンブリの送給機構が作動し、ブックレットが第２の送給アセンブリに到達し、第２の送給アセンブリがブックレットの前部を把持するまで、開放された裁断アセンブリを通してブックレットを前方に送給する。ブックレットが第２の送給アセンブリに到達するために入口から移動しなければならない総距離は、ブックレットの幅よりも大きく、等しく、又は小さくあり得ることが理解されるべきである。第２の送給アセンブリによって把持されると、第２の送給アセンブリは、第２の送給アセンブリの送給機構の動作によって、若しくは第２の送給アセンブリの並進によってのうちのいずれかで、又は送給機構の動作と第２の送給アセンブリの並進との両方によって、ブックレットを処理位置まで送給することが可能である。裁断アセンブリと四角折りアセンブリとの間の距離がブックレットの幅よりも小さいので（上述したようにブックレットサイズが変化したときの初期幅設定のために常にそうである）、及び第２の送給アセンブリが裁断アセンブリと四角折りアセンブリとの間に位置付けられているので、第２の送給アセンブリは、処理位置にブックレットを移送するために移動する必要はなく、単にブックレットを処理位置へと前方に送給することができる。
【００１０】
故に、そのように構成された第１の送給アセンブリ及び第２の送給アセンブリを設けることは、同じサイズの複数のブックレットの後処理中に裁断アセンブリが静止状態になることを可能にしながら、様々なサイズのブックレットの自動移動を可能にする。裁断アセンブリは重く、処理されるブックレット毎に裁断アセンブリを移動させる必要がないことは大きな利点であり、機械上の処理時間、振動、及び摩耗を低減する。
【００１１】
第２の送給アセンブリは、後処理デバイスに移動可能に取り付けられ、裁断アセンブリと四角折りアセンブリとの間の搬送路に沿った前後の移動のために案内され得る。
【００１２】
第２の送給アセンブリを裁断アセンブリと四角折りアセンブリとの間の搬送路に沿って前後に移動可能にすることによって、ブックレットは、第２の送給アセンブリの送給機構の動作によってではなく、第２の送給アセンブリの単なる並進によって、ブックレットの折り畳まれた部分を把持しながら、第２の送給アセンブリによってその処理位置に移動されることができる。その折り畳まれた部分を引っ張ることによってブックレットを移動させることは、シートを変形させるリスクが低減されたブックレットの安定した移動をもたらす。
【００１３】
挟持アセンブリは、四角折りアセンブリに隣接して設けられ得る。
【００１４】
ブックレットを四角折りアセンブリに近接して挟持することは、ブックレットの折り畳まれた部分をその背に沿って挟持することを可能にし、それは次に、四角折りアセンブリによる明確な折り目付け（creasing）動作を可能にする。
【００１５】
第１の送給アセンブリは、直線案内部上に据え付けられ得、第１の送給機構は、第１の送給機構の前方送給方向が直線案内部の方向と平行になるように構成される。
【００１６】
直線案内部を設け、送給方向と直線案内部の方向とをそのように整列させることは、それぞれの送給アセンブリの送給機構の動作によってそれぞれの送給アセンブリの任意の位置において搬送路に沿って送給することを可能にする。これは、第１の送給アセンブリの位置付けとは無関係にブックレットのより高度な選択的位置付けを可能にし、それはひいては、送給アセンブリの両方の送給動作（送給機構の動作による送給及び送給アセンブリの並進による送給）が同時に実行されることができるので、機械のより高速な動作を可能にする。また、入口からブックレットを最初に受け入れた後、第１の送給アセンブリは、ブックレットをその搬送路に斜めに送給して裁断アセンブリのナイフ又は支持体と接触させることなく、裁断アセンブリから更に離れてその送給機構を動作させることが可能となり、それは、送給方向が送給アセンブリの移動方向と整列していなかったケースの可能性がある。
【００１７】
後処理デバイスは、当接部材が四角折りアセンブリに隣接する位置において搬送路を塞ぎ、それによって処理位置を規定する停止位置と、四角折りアセンブリがブックレット上で自由に動作するように、当接部材が四角折りアセンブリの邪魔にならないように移動される静止位置との間で移動可能な当接部材を備えるストッパ手段を更に備え得る。
【００１８】
そのようなストッパ手段を設けることは、ブックレットが処理位置に対応する所与の位置において当接部材に当たるまで、ブックレットが第２の送給アセンブリによって送給されることを可能にする。
【００１９】
当接部材は、裁断アセンブリのナイフと平行であり得る。平行であることは、化粧裁ち及び四角折りの前に第２の送給アセンブリを使用してブックレットを当接部材に対して押し込むことによってブックレットの歪みが補正されることを可能にし、このことから、誤って方向付けられた裁断及び不十分な折り目付けのリスクを低減する。
【００２０】
本発明の第２の態様による方法は、従属請求項９に規定された実施形態と共に、請求項８に規定されている。第２の態様による後処理デバイスを動作させる方法は、
ｂ）四角折りアセンブリ及び／又は裁断アセンブリを所定の距離だけ離して移動させることと、
ｃ）入口からブックレットを受け入れ、把持し、裁断アセンブリに移送するように第１の送給アセンブリを動作させることと、
ｄ）ブックレットが第２の送給アセンブリに到達するまで、第１の送給アセンブリに対して前方にブックレットを移動させるように第１の送給機構を動作させることと、
ｅ）裁断アセンブリからのブックレットを把持し、処理位置に移送するように第２の送給アセンブリを動作させることと、
ｆ）処理位置においてブックレットを挟持するように挟持アセンブリを動作させることと、
ｈ）処理位置において挟持されている間に、ブックレットを四角折りし、裁断するように、四角折りアセンブリ及び裁断アセンブリをそれぞれ動作させることと、
ｉ）その開放位置に持ってくるように挟持アセンブリを動作させることと、
ｊ）出口に向かってブックレットを移送するように第２の送給アセンブリを動作させることと、
を行うステップを備える。
【００２１】
ステップｂ）では、四角折りアセンブリと裁断アセンブリとの間の距離が、処理されるべきブックレットのサイズ、特に、裁断後にどの程度のブックレットが残されるべきかに応じて、四角折りアセンブリ及び裁断アセンブリによる同時処理に適した距離に調整される。裁断されるべき突出部は、ブックレットを構成するシートの数及び各それぞれのシートの厚さなどの多くの要因に依存する可能性がある。故に、距離を設定した後、他のステップを繰り返すことによって、複数の同様のブックレットが処理され得る。
【００２２】
後処理デバイスが上述したストッパ手段を備える場合、方法は、ステップｄ）の前の任意の時点で実行されるべきステップａ）を更に備え得、そのステップａ）は、当接部材を停止位置に持ってくるようにストッパ手段を動作させ、それによって、処理位置を規定する物理的停止部を提供することを備え、方法は、ステップｆ）とｈ）との間に、当接部材をその静止位置に移動させるようにストッパ手段を動作させるステップｇ）を更に備える。
【００２３】
図１〜１０は、後処理デバイスの第１の実施形態の概略図を示す。図２〜図１０は、後処理デバイスの動作の連続ステップを示す。
【図面の簡単な説明】
【００２４】
【図１】後処理デバイスを示し、矢印は可動部分を示す。
【図２】ストッパ手段がその停止位置に移動し、裁断アセンブリが四角折りアセンブリから距離Ｄ１だけ離れて設定された適切な位置に移動したデバイスを示す。また、第１の送給アセンブリが入口に移動され、第１の送給機構が開放されて、ブックレットが第１の送給機構に入ることを可能にする。更に、挟持アセンブリが開放されて、ブックレットの挿入を可能にする。
【図３】入口を通って第１の送給アセンブリに入るブックレットを示す。
【図４】第１の送給アセンブリの並進による裁断アセンブリへのブックレットの移動を示す。また、ブックレットを受け入れるための第２の送給アセンブリの位置付けを示す。
【図５】第１の送給アセンブリから開放された裁断アセンブリを通っての第２の送給アセンブリへのブックレットの送給を示す。
【図６】ブックレットがストッパ手段の当接部材に当たるまでの第２の送給アセンブリの並進による処理位置へのブックレットの移動を示す。
【図７】処理位置においてブックレットを挟持するための挟持アセンブリの動作を示す。
【図８】四角折りアセンブリがブックレットの折り畳まれた部分にその後接近することを可能にする、その静止位置へのストッパ手段の動作を示す。
【図９】四角折りアセンブリ及び裁断アセンブリの同時動作を示す。
【図１０】挟持アセンブリの開放、及び出口に向けてのブックレットのその後の移送を示す。
【００２５】
全ての図は同じ実施形態に関し、同じ項目は図毎に容易に認識されるので、１つの参照番号は、１つの図においてどの部分若しくは位置又は他の項目に関するかを示しており、それは、他の図から除外され得る。
【表１】
2022502287.tif 000003
【発明を実施するための形態】
【００２６】
本発明の実施形態を、後処理デバイスの第１の実施形態を示す添付図面を参照して以下に説明する。
【００２７】
図１は、後処理デバイス１の様々なコンポーネント及び全体的なレイアウトを概略的に示す。後処理デバイス１は、ブックレットを移動させることなく、１つのステップでブックレット３の四角折り及び化粧裁ちを実行するために、印刷ラインのブックレットメーカ（図示せず）とインラインで使用され得る。四角折りの間、ブックレット３は、四角形の形状の背を作製するために、背面／背／「折り畳まれた部分」に圧力を印加することによって処理される。化粧裁ちの間、背の反対側の縁、即ち、ブックレットの開放端は、真っ直ぐに裁断される。
【００２８】
後処理デバイス１は、その右側に、後処理されるべきブックレット３を受け入れるための入口２を備え、その左側に、後処理後にブックレット３を排出するための出口４を備える。当然ながら、設計全体は、左側に入口を有し、右側に出口を有するように、左から右に鏡映（mirrored）されることもできる。また、どちらが左となり右となるかは、どちらがデバイスの前面であり背面であるかと見なすことに依存する。左及び右への言及は、図面上での方向を指す。
【００２９】
デバイス１はまた、ナイフ６と、ナイフ６が降下してブックレット３を裁断するときにブックレット３を支持するための支持体７とを備える裁断アセンブリ５を設けられる。裁断アセンブリ５は、後処理デバイス１に移動可能に取り付けられ、入口２と出口４との間の搬送路１１に沿った前後の移動のために直線案内部上に案内される。裁断アセンブリ５は、好ましくは、直線案内部に沿って裁断アセンブリ５の位置を制御するように構成された電気モータの形態の第６の駆動手段（図示せず）に動作可能に接続される。第６の駆動手段は、裁断アセンブリ位置制御信号に応答して動作可能である。裁断アセンブリ５は、比較的重く、２０ｋｇを超える重さがある。裁断アセンブリ５は、処理位置Ｐに向かって搬送されるときなどにブックレット３がナイフ６と支持体７との間の開口部を通って移動されることができるように裁断アセンブリ５が開放されている上昇位置の間でナイフ６を移動させるように構成された駆動手段を有するナイフ駆動機構を備える。
【００３０】
デバイス１は、ブックレット３の背に沿って圧力を印加するためのロールの形態の加圧手段９を備える四角折りアセンブリ８を更に備える。四角折りアセンブリ８は、背を変形させて所望される四角形の形状を与えるためにロール９に圧力を印加しながら、背に沿ってロール９を移動させるための機構を設けられている。背に沿ったロール９の動作後、機構は、ロール９をブックレット３から離れたパーキング位置に戻す。
【００３１】
デバイス１はまた、裁断アセンブリ５及び四角折りアセンブリ８を介して入口２から出口４に、図１に示すような搬送路１１沿ってブックレット３を移動させるように構成された移送システムを備える。
【００３２】
移送システムは、入口２と裁断アセンブリ５との間に設けられた第１の送給アセンブリ１２を備える。第１の送給アセンブリ１２は、第１の送給アセンブリ１２に対するブックレット３の送給を制御するように構成された第１の送給機構を備える。送給機構は、平行なローラアセンブリを備え、ローラアセンブリの間にブックレット３が差し入れられ、その後ローラアセンブリの間に挟み込まれることができ、そのため、ローラアセンブリの回転がブックレット３の移動を制御する。ローラアセンブリのうちの少なくとも１つは、電気モータの形態の第１の駆動手段に動作可能に接続される。代替として、いくつかの他の適当な駆動手段が使用されることができる。第１の駆動手段は、第１の送給アセンブリ１２上に設けられるが、他の実施形態では、第１の送給アセンブリ１２から離れて設けられることができるが、適切な伝動装置（transmission）、ベルト駆動、又は同様のものを使用して動作可能に接続されることができる。第１の駆動手段は、第１の送給機構を動作させるために、第１の送給制御信号に応答して動作可能である。
【００３３】
第１の送給アセンブリ１２は、後処理デバイス１に移動可能に取り付けられ、入口２と裁断アセンブリ５との間の搬送路１１に沿った前後の移動のために直線案内部上に案内される。他の実施形態では、デバイス１を通るブックレット３の意図された移動が依然として達成されることができる限り、適切な非直線案内部が使用されることができる。第１の送給機構は、第１の送給機構の前方送給方向が直線案内部の方向と平行になるように構成される。これは、直線案内部に沿った第１の送給アセンブリ１２の並進によって、並びに第１の送給機構の動作によって、真っ直ぐな送給経路に沿ったブックレット３の送給を可能にし、それによって、第１の送給アセンブリ１２の位置付けの柔軟性が高まる。
【００３４】
第１の送給アセンブリ１２は、直線案内部に沿って第１の送給アセンブリ１２の位置を制御するように構成された、好ましくは電気モータの形態の第２の駆動手段に動作可能に接続される。第２の駆動手段は、第１の位置制御信号に応答して動作可能である。
【００３５】
移送システムはまた、裁断アセンブリ５と四角折りアセンブリ８との間に設けられた第２の送給アセンブリ１８を備える。第２の送給アセンブリ１８は、第２の送給アセンブリ１８に対するブックレット３の送給を制御するように構成された第２の送給機構を備える。第２の送給機構は、第１の送給アセンブリ１２のローラアセンブリと同様の平行なローラアセンブリを備える。ローラアセンブリのうちの少なくとも１つは、電気モータの形態の第３の駆動手段に動作可能に接続される。代替として、いくつかの他の適当な駆動手段が使用されることができる。第３の駆動手段は、第２の送給アセンブリ１８上に設けられるが、他の実施形態では、第２の送給アセンブリから離れて設けられることができるが、適切な伝動装置、ベルト駆動、又は同様のものを使用して動作可能に接続されることができる。第３の駆動手段は、第２の送給機構を動作させるために、第２の送給制御信号に応答して動作可能である。
【００３６】
第２の送給アセンブリ１８は、後処理デバイス１に移動可能に取り付けられ、裁断アセンブリ５と四角折りアセンブリ８との間の搬送路１１に沿った前後の移動のために直線案内部上に案内される。他の実施形態では、デバイス１を通るブックレット３の意図された移動が依然として達成されることができる限り、適切な非直線案内部が使用されることができる。
【００３７】
第２の送給アセンブリ１８は、直線案内部に沿って第２の送給アセンブリの位置を制御するように構成された、好ましくは電気モータの形態の第４の駆動手段に動作可能に接続される。第４の駆動手段は、第２の位置制御信号に応答して動作可能である。
【００３８】
後処理デバイス１は、挟持アセンブリ１７がブックレット３の背の部分を挟持して、四角折りアセンブリ８及び裁断アセンブリ５による処理のための処理位置Ｐにブックレット３を静止状態に保つ挟持位置Ｐ３と、ブックレット３が移動することを挟持アセンブリ１７が可能にする開放位置Ｐ４との間で動作可能となるように構成された挟持アセンブリ１７と更に備える。この機能を可能にするために、挟持アセンブリ１７は、挟持部材１９がブックレット３に接触しない上部開放位置Ｐ４と、ブックレット３の移動を防止するためにブックレット３のカバーを押圧する挟持位置Ｐ３との間で挟持部材１９を移動させるための挟持制御信号に応答して動作可能な第５の駆動手段に動作可能に接続された少なくとも１つの可動挟持部材１９を備える挟持機構を設けられる。挟持アセンブリ１７は、ブックレット３が挟持部材１９による押圧時に接する支持部材１０を備えるが、他の実施形態では、後処理デバイス１の何らかの他の部材が支持体として機能することができる。
【００３９】
四角折りアセンブリ８は、後処理デバイス１の筐体に固定されている。しかしながら、裁断アセンブリ５は、後処理デバイス１に移動可能に取り付けられており、そのため、四角折りアセンブリ８と裁断アセンブリ５との距離は、裁断アセンブリ５の移動によって可変である。裁断アセンブリ５は比較的重く、２０ｋｇを超える重さがあり、このことから、慎重に移動されるべきである。裁断アセンブリ５の急速な移動は、不必要な振動及び摩耗を引き起こす危険性があるので、望ましくない。
【００４０】
後処理デバイス１は、当接部材１４が四角折りアセンブリ８に隣接する位置において搬送路１１を塞ぎ、それによって処理位置Ｐを規定する停止位置Ｐ１と、四角折りアセンブリ８がブックレット３上で自由に動作するように、当接部材１４が四角折りアセンブリ８の邪魔にならないように移動される静止位置Ｐ２との間で移動可能な当接部材１４を備えるストッパ手段１３を更に備える。他の実施形態では、ストッパ手段１３は、物理的当接部材の代わりに、ブックレット３の位置を検出し、ブックレットが処理位置Ｐに到達したことを示す信号を出力するように適合された光学又は他の適切なセンサを備え得る。しかしながら、物理的停止部は、ブックレット３を当接部材１４に押し付けることによってブックレット３の位置ずれの一定量の補正を可能にするので、有利である。ブックレット３がそのように押圧されると、ブックレットは僅かに回転し、第２の送給アセンブリ１８の送給機構に対して僅かに滑りながら、当接部材１４に沿ってその背と整列する。
【００４１】
また、第１の送給アセンブリ１２及び第２の送給アセンブリ１８は、裁断アセンブリ５と比較して比較的軽量であり、従って、過度の振動を引き起こすことなく後処理デバイス１内でそれらの機能を実行するために、迅速に加速され、前後に移動されることができる。
【００４２】
全体として、後処理デバイス１は、少なくとも、四角折り及び化粧裁ちの両方を迅速に実行することが可能であり、更に、多種多様なブックレットサイズに対してこれを行うことが可能でありながら、小さな設置面積を有するので、有利である。
【００４３】
後処理デバイス１を動作する方法を以下に説明する。方法は、後処理デバイス１を制御するように適合されたコンピュータ上で実行されるコンピュータプログラムの形態でインプリメントされ得る。
【００４４】
最初に、裁断アセンブリ５と四角折りアセンブリ８との間の適切な距離が決定されることができるように、処理されるべきブックレット３のサイズのタイプが決定される。これは、例えば、手動設定又は制御信号に基づくことができる。距離Ｄ１が決定されると、裁断アセンブリ５は、第３の駆動手段の動作によって四角折りアセンブリ８から所定の距離Ｄ１における対応する位置に移動される。当接部材１４を停止位置Ｐ１に持ってくるようにストッパ手段１３を動作させ、それによって、処理位置Ｐを規定する物理的停止部を提供するには今が良いときである。第１の送給アセンブリ１２は次いで、入口２に移動され、入口２からブックレット３を受け入れ、把持し、裁断アセンブリ５に移送するように動作される。裁断アセンブリ５に隣接すると、第１の送給機構は、ブックレット３が第２の送給アセンブリ１８に到達するまで、第１の送給機構の動作によって第１の送給アセンブリ１２に対して前方にブックレット３を移動させるように動作される。この実施形態では、各送給機構のローラアセンブリ間の距離は、必要に応じてブックレット３をオプションとして把持又は解放するための制御信号に応答して、駆動手段によって動的に調整可能である。次に、第２の送給アセンブリは、上述したように既にその停止位置Ｐ１に持ってこられたストッパ手段１３の当接部材１４に当接するまでブックレット３を押し込むことによって、裁断アセンブリからのブックレット３を把持し、処理位置Ｐに移送するように動作される。
【００４５】
挟持アセンブリ１７は、ブックレット３を処理位置Ｐに挟持するように動作され、ストッパ手段１３はその後、当接部材１４をその静止位置Ｐ２に移動させるように動作され、それによって、当接部材１４と衝突することなく背上での四角折りアセンブリ８の動作を可能にする。
【００４６】
四角折りアセンブリ８及び裁断アセンブリ５は次いで、処理位置Ｐにおいて挟持されている間に、ブックレット３を四角折りし、裁断するようにそれぞれ動作される。裁断されたシート片１５は、廃棄物容器１６中に落下し、廃棄物容器１６は時々空にされなければならない。
【００４７】
四角折り及び化粧裁ちが終了した後、挟持アセンブリ１７は、その開放位置に持ってくるように動作される。次いで、第２の送給アセンブリ１８が、出口４に向かってブックレット３を移送するように動作される。完成したブックレット３の取り扱いを補助するために、更なる送給機構（図示せず）が出口４に隣接して設けられ得る。
【００４８】
故に、距離を設定した後、他のステップを繰り返すことによって、複数の同様のブックレットが処理され得る。
【００４９】
他の実施形態では、四角折り及び化粧裁ち動作は、当然ながら、ブックレット３を処理位置Ｐ内で静止状態に保ちながら、任意の順序で次々に実行されることができる。それは、当然ながら、同時に動作を実行するよりも長い時間が掛かるであろう。
【００５０】
更に、駆動手段の番号付けは参照のためだけであり、特定の数の駆動手段がそれぞれの実施形態に存在することを暗示しないことが理解されるべきである。
【図１】
2022502287.tif 000004
【図２】
2022502287.tif 000005
【図３】
2022502287.tif 000006
【図４】
2022502287.tif 000007
【図５】
2022502287.tif 000008
【図６】
2022502287.tif 000009
【図７】
2022502287.tif 000010
【図８】
2022502287.tif 000011
【図９】
2022502287.tif 000012
【図１０】
2022502287.tif 000013
【国際調査報告】
2022502287.tif 000014
2022502287.tif 000015
2022502287.tif 000016